(57)【要約】【課題】多数のカード類を整然と収納できると共に保護でき、カード類の出入れがより容易に、スムーズに行え、操作性が良く、取扱いが簡単で、使い勝手に優れ、厚みが薄くなり、カード類を確実に、安定的に保持でき、構成簡素で、コンパクトで、収納ケースへの組込みも容易で、量産に適し、低コストで、経済的なカード類の収納構造を提供する。【解決手段】収納基部Ａと上保持部Ｂ１とを備え、収納基部Ａは、連設部２がわが支点となって一対の基板部１相互が略扇状に揺動するよう形成し、上保持部Ｂ１は、カード類Ｃが差込自在な複数の差込孔５を適宜間隔で並設すると共に、差込孔５の並設方向にある両端部分を、一対の基板部１の上部がわに夫々固定し、一対の基板部１の揺動動作に連繋して、上保持部Ｂ１の略中央の折曲部が連設部２に接近するような二つ折状態から展開状態の間で変形自在となるよう構成する。【選択図】図２
0003123215.tif 000002
【実用新案登録請求の範囲】
【請求項１】
財布やカードケース等の適宜収納ケースに内蔵されて、複数の適宜カード類を収容保持可能なカード類の収納構造であって、少なくとも収納基部と、上保持部とを備え、前記収納基部は、一方の基板部と、他方の基板部と、これら一対の基板部を下部がわで連設する連設部とを備えると共に、この連設部がわが支点となって一対の基板部相互が略扇状に揺動するよう形成され、前記上保持部は、カード類が差込自在となる複数の差込孔が適宜間隔で並設されると共に、差込孔の並設方向にある両端部分が、収納基部の一対の基板部の上部がわに夫々固定され、一対の基板部の揺動動作に連繋して、上保持部の略中央の折曲部が連設部に接近するような二つ折状態から展開状態の間で変形自在となるように構成したことを特徴とするカード類の収納構造。
【請求項２】
財布やカードケース等の適宜収納ケースに内蔵されて、複数の適宜カード類を収容保持可能なカード類の収納構造であって、少なくとも収納基部と、上保持部と、下保持部とを備え、前記収納基部は、一方の基板部と、他方の基板部と、これら一対の基板部を下部がわで連設する連設部とを備えると共に、この連設部がわが支点となって一対の基板部相互が略扇状に揺動するよう形成され、前記上保持部は、カード類が差込自在となる複数の差込孔が適宜間隔で並設されると共に、差込孔の並設方向にある両端部分が、収納基部の一対の基板部の上部がわに夫々固定され、前記下保持部は、その両端部分が収納基部の一対の基板部の下部がわに夫々固定されると共に、差込孔に差込まれた複数のカード類の下端縁部分を抱持できるように形成され、一対の基板部の揺動動作に連繋して、上保持部の略中央の折曲部が連設部に接近するような二つ折状態から展開状態の間で変形自在となるように構成すると共に、下保持部の両端部分の間隔が広がって、略中央部分が連設部から離れる向きに若干移動するように構成したことを特徴とするカード類の収納構造。
【考案の詳細な説明】
【技術分野】
【０００１】
本考案は、例えば、財布やカードケース等の適宜収納ケースに内蔵され、クレジットカードや、キャッシュカードや、プリペイドカードやその他の各種カード類や、或いは、カード状の適宜収納物等を多数収納することができるようにしたカード類の収納構造に係り、特に、複数のカード類を整然と且つ安定的に収納できると共に、カード類を保護でき、これらの出入れが容易となり、取扱いが簡単で、しかも、その構成が簡素で、コンパクトとなり、収納ケースへの組込みが容易で、量産に適し、低廉に提供できるように工夫したカード類の収納構造に関するものである。
【背景技術】
【０００２】
従来、クレジットカードや、キャッシュカード等のカード類を複数収容しておける収納ケース（例えば、財布等）としては、例えば、複数のポケット部を上下にズラせた状態（多段状）に設け、カード類の一部（例えば、上部）が夫々露出した状態でポケット部内に収容せしめるように構成したものが提供されている。
また、従来のカード類の収納ケースとしては、例えば、特許文献１に示されているように、収納ケースの本体部分内に適宜仕切片を複数設けたものが提供されている。
【０００３】
【特許文献１】特開平７−３０８２１６号公報
【考案の開示】
【考案が解決しようとする課題】
【０００４】
ところが、前述のような複数のポケット部を上下にズラせたものは、その一部が露出した多段状にカード類が収容されるので、収容できるカード類の枚数を増やすと、収容部分を合せた面積が大きくなり、コンパクトに構成し難い難点等があった。
しかも、多段状のカード類は、相互に接近した状態となっており、露出しているカード類の一部を手指で摘み難く、所望のカード類の取出しがスムーズに行い難い等の難点もあった。
【０００５】
また、前述のような収納ケースの本体部分内に適宜仕切片を複数設けたものは、収納ケース全体の厚みがかなり厚くなってしまい、コンパクトに構成し難い難点等があった。
しかも、その構成が複雑となり、コスト高となる等の難点もあった。
【０００６】
そこで、本考案は、前述の如き難点等を解消して、多数のカード類を収納することができ、更に、これらを整然と収納できると共に、カード類を保護でき、加えて、より操作性が良くなり、取扱いが簡単で、使い勝手に優れ、カード類の出入れがより容易に且つスムーズに行えるようになり、しかも、その構成が簡素で、コンパクトに構成できるようになり、適宜収納ケースへの組込みが容易で、量産に適し、低コスト化が図れ、経済的なカード類の収納構造を提供すべく案出されたものである。
【課題を解決するための手段】
【０００７】
しかして、前述の如き課題等を達成すべく、本考案の請求項１記載のカード類の収納構造にあっては、財布やカードケース等の適宜収納ケースに内蔵されて、複数の適宜カード類Ｃを収容保持可能なカード類の収納構造であって、少なくとも収納基部Ａと、上保持部Ｂ１とを備え、前記収納基部Ａは、一方の基板部１と、他方の基板部１と、これら一対の基板部１を下部がわで連設する連設部２とを備えると共に、この連設部２がわが支点となって一対の基板部１相互が略扇状に揺動するよう形成され、前記上保持部Ｂ１は、カード類Ｃが差込自在となる複数の差込孔５が適宜間隔で並設されると共に、差込孔５の並設方向にある両端部分が、収納基部Ａの一対の基板部１の上部がわに夫々固定され、一対の基板部１の揺動動作に連繋して、上保持部Ｂ１の略中央の折曲部が連設部２に接近するような二つ折状態から展開状態の間で変形自在となるように構成する手段を採用した。
【０００８】
また、本考案の請求項２記載のカード類の収納構造にあっては、財布やカードケース等の適宜収納ケースに内蔵されて、複数の適宜カード類Ｃを収容保持可能なカード類の収納構造であって、少なくとも収納基部Ａと、上保持部Ｂ１と、下保持部Ｂ２とを備え、前記収納基部Ａは、一方の基板部１と、他方の基板部１と、これら一対の基板部１を下部がわで連設する連設部２とを備えると共に、この連設部２がわが支点となって一対の基板部１相互が略扇状に揺動するよう形成され、前記上保持部Ｂ１は、カード類Ｃが差込自在となる複数の差込孔５が適宜間隔で並設されると共に、差込孔５の並設方向にある両端部分が、収納基部Ａの一対の基板部１の上部がわに夫々固定され、前記下保持部Ｂ２は、その両端部分が収納基部Ａの一対の基板部１の下部がわに夫々固定されると共に、差込孔５に差込まれた複数のカード類Ｃの下端縁部分を抱持できるように形成され、一対の基板部１の揺動動作に連繋して、上保持部Ｂ１の略中央の折曲部が連設部２に接近するような二つ折状態から展開状態の間で変形自在となるように構成すると共に、下保持部Ｂ２の両端部分の間隔が広がって、略中央部分が連設部２から離れる向きに若干移動するように構成する手段を採用した。
【考案の効果】
【０００９】
従って、請求項１のカード類の収納構造によれば、多数のカード類Ｃを収納することができ、更に、これらを整然と収納できると共に、カード類Ｃを保護できるようになる。しかも、その構成が簡素で、コンパクトに構成できるようになり、適宜収納ケースへの組込みも容易となり、量産に適し、低コスト化が図れ、経済的なものとなる。
【００１０】
特に、連設部２がわが支点となって一対の基板部１相互を略扇状に揺動せしめるだけで、上保持部Ｂ１の略中央の折曲部が連設部２に接近するような二つ折状態から展開状態の間で変形自在となり、そして、上保持部Ｂ１が展開状態のときは、差込孔５に差込まれている複数のカード類Ｃが、連設部２部分を中心とするような放射方向に沿うよう配されるようになり、カード類Ｃ相互の上部の間隔が大きく開き、所望のカード類Ｃを探し易くなると共に、手指で所望のカード類Ｃを摘み易くなり、カード類Ｃの出入れが、他のカード類Ｃに邪魔されることなくより容易に且つスムーズに行えるようになる。すなわち、操作性が良くなり、取扱いが簡単で、使い勝手の優れたカード類の収納構造となる。
【００１１】
加えて、上保持部Ｂ１が二つ折状態のときは、差込孔５に差込まれている複数のカード類Ｃが相互に接近するようになって、全体の厚みが薄くなり、しかも、差込孔５に差込まれている複数のカード類Ｃを、ズレることなく、確実に且つ安定的に保持できるようになる。
【００１２】
また、請求項２のカード類の収納構造によれば、多数のカード類Ｃを収納することができ、更に、これらを整然と収納できると共に、カード類Ｃを保護できるようになる。しかも、その構成が簡素で、コンパクトに構成できるようになり、適宜収納ケースへの組込みも容易となり、量産に適し、低コスト化が図れ、経済的なものとなる。
【００１３】
更に、連設部２がわが支点となって一対の基板部１相互を略扇状に揺動せしめるだけで、上保持部Ｂ１の略中央の折曲部が連設部２に接近するような二つ折状態から展開状態の間で変形自在となり、そして、上保持部Ｂ１が展開状態のときは、差込孔５に差込まれている複数のカード類Ｃが、連設部２（下保持部Ｂ２）部分を中心とするような放射方向に沿うよう配されるようになり、カード類Ｃ相互の上部の間隔が大きく開き、所望のカード類Ｃを探し易くなると共に、手指で所望のカード類Ｃを摘み易くなり、カード類Ｃの出入れが、他のカード類Ｃに邪魔されることなく容易に且つスムーズに行えるようになる。すなわち、操作性が良くなり、取扱いが簡単で、使い勝手の優れたカード類の収納構造となる。
【００１４】
特に、下保持部Ｂ２は、その両端部分が収納基部Ａの一対の基板部１の下部がわに夫々固定されると共に、差込孔５に差込まれた複数のカード類Ｃの下端縁部分を抱持できるように形成されているので、複数のカード類Ｃの下端縁部分を保護できるようになると共に、複数のカード類Ｃをより安定的に保持できるようになる。
しかも、連設部２がわが支点となって一対の基板部１相互を略扇状に揺動せしめるだけで、下保持部Ｂ２の両端部分の間隔が広がって、その略中央部分が連設部２から離れる向きに若干移動するようになるため、差込孔５に差込まれて放射方向に沿うよう配されている複数のカード類Ｃを上方に若干持ち上げられるようになり、カード類Ｃ相互の上部の間隔がより開き、所望のカード類Ｃをより探し易くなると共に、手指で所望のカード類Ｃをより摘み易くなり、カード類Ｃの出入れがより容易に且つスムーズに行えるようになる。すなわち、操作性が更に良くなり、取扱いが簡単で、より使い勝手の優れたカード類の収納構造となる。
【００１５】
加えて、上保持部Ｂ１が二つ折状態のときは、差込孔５に差込まれている複数のカード類Ｃが相互に接近するようになって、全体の厚みが薄くなると共に、複数のカード類Ｃの下端縁部分が収納基部Ａの連設部２がわに移動するようになり、収納基部Ａを無駄なく利用できると共に、収納構造をよりコンパクトに構成できるようになる。ひいては、適宜収納ケースにより組込み易い収納構造となる。
しかも、差込孔５に差込まれている複数のカード類Ｃを、ズレることなく、確実に且つ安定的に保持できるようになる。
【考案を実施するための最良の形態】
【００１６】
以下、本考案を説明すると、次の通りである。
本考案のカード類の収納構造は、例えば、財布や、定期入れや、システム手帳や、その他の適宜収納ケース等に簡単に組込める（或いは、そのまま収納ケースとして利用できる）ように構成され、しかも、クレジットカードや、キャッシュカードや、メンバーズカードや、プリペイドカード等のように略矩形薄板状（或いは、矩形以外の薄板状でも良い）を呈する各種カードや、各種チケット類や、免許証や、車検証や、保険証や、パスポート等の各種証明書類や、その他のカード状の形態を呈する適宜物品等を含むカード類Ｃを、複数（多数）収納することができるように構成されたものである。
【００１７】
具体的には、少なくとも収納基部Ａと、上保持部Ｂ１とを備えたものである。そして、前記収納基部Ａは、一方の基板部１と、他方の基板部１と、これら一対の基板部１を下部がわで連設する連設部２とを備えると共に、この連設部２がわが支点となって一対の基板部１相互が略扇状に揺動するよう形成されている。更に、前記上保持部Ｂ１は、カード類Ｃが差込自在となる複数の差込孔５が適宜間隔で並設されると共に、差込孔５の並設方向にある両端部分が、収納基部Ａの一対の基板部１の上部がわに夫々固定されている。しかも、一対の基板部１の揺動動作に連繋して、上保持部Ｂ１の略中央の折曲部が連設部２に接近するような二つ折状態から展開状態の間で変形自在となるように構成されている。
【実施例】
【００１８】
そして、図示例のカード類の収納構造は、少なくとも収納基部Ａと、上保持部Ｂ１と、下保持部Ｂ２とを備えたものである。
しかも、前記収納基部Ａは、一方の基板部１と、他方の基板部１と、これら一対の基板部１を下部がわで連設する連設部２とを備えると共に、この連設部２がわが支点となって一対の基板部１相互が略扇状に揺動するよう形成されている。
また、前記上保持部Ｂ１は、カード類Ｃが差込自在となる複数の差込孔５が適宜間隔で並設されると共に、差込孔５の並設方向にある両端部分が、収納基部Ａの一対の基板部１の上部がわに夫々固定されている。
更に、前記下保持部Ｂ２は、その両端部分が収納基部Ａの一対の基板部１の下部がわに夫々固定されると共に、差込孔５に差込まれた複数のカード類Ｃの下端縁部分を抱持できるように形成されている。
それから、一対の基板部１の揺動動作に連繋して、上保持部Ｂ１の略中央の折曲部が連設部２に接近するような二つ折状態から展開状態の間で変形自在となるように構成すると共に、下保持部Ｂ２の両端部分の間隔が広がって、略中央部分が連設部２から離れる向きに若干移動するように構成されている。
【００１９】
前記収納基部Ａは、例えば、略矩形板状の一対の基板部１の下部がわを、可撓性を有する略湾曲状の連設部２で一体的（或いは、一体的でなくても良い）に連設して構成され、連設部２がヒンジ部となって一対の基板部１が略扇状に揺動して、その上部が大きく開閉するように構成されている。しかも、収納基部Ａの揺動動作は、一対の基板部１が略９０度程度の角度まで開くように形成してあれば良い。
尚、収納基部Ａは、その外表面部分或いは全体を皮革（或いは、人工皮革）で構成して、高級感が醸し出せるようにしても良いし、適宜紙材や、適宜合成樹脂材や、適宜金属材や、これらの適宜複合材等によって構成することができるものである。
しかも、収納基部Ａは、財布やカードケース等の適宜収納ケースの外装部分となるものであっても良いし、或いは、適宜収納ケースの内部に設けられたものでも良いし、或いは、一方の基板部１が適宜収納ケースの外装部分となり、他方の基板部１が適宜収納ケースの内部に仕切板等として設けられたものでも良い。
【００２０】
前記上保持部Ｂ１は、例えば、その略中央の折曲部で二つ折可能となるような可撓性を備えた適宜材料によって略矩形シート状に形成され、差込孔５の並設方向にある両端部分を、前記収納基部Ａの一対の基板部１の上部がわに夫々固定（例えば、接着手段、縫着手段、その他の手段を利用して固定）できるように構成されている。
すなわち、一対の基板部１の揺動動作に連繋して、略中央の折曲部が連設部２に接近するような二つ折状態（図１参照）となったり、或いは、平面的な展開状態となったり、或いは、略中央の折曲部が適宜角度の略Ｖ状となるような展開状態（図２参照）となったり、自由に変形できるように構成されている。
【００２１】
尚、上保持部Ｂ１は、皮革（或いは、人工皮革）で構成して、高級感が醸し出せるようにしても良いし、或いは、適宜紙材や、適宜合成樹脂材や、適宜金属材や、これらの適宜複合材等によって構成することもできる。
更に、前記上保持部Ｂ１は、例えば、比較的柔軟な材料によって構成して、カード類Ｃ自体の損傷を防止できるようにしても良い。
【００２２】
前記下保持部Ｂ２は、例えば、可撓性を備えた適宜材料によって略矩形シート状に形成され、その両端部分を、前記収納基部Ａの一対の基板部１の下部がわに夫々固定（例えば、接着手段、縫着手段、その他の手段を利用して固定）できるように構成されている。
すなわち、一対の基板部１の揺動動作に連繋して、その中央部分が連設部２に接近する状態（図１参照）となったり、或いは、連設部２から離れて緩やかに湾曲するような展開状態（図２参照）となったり、自由に変形できるよう構成されている。
【００２３】
尚、下保持部Ｂ２は、皮革（或いは、人工皮革）や、適宜布材や、適宜合成樹脂材や、適宜紙材や、これらの適宜複合材等によって構成することができる。
更に、前記下保持部Ｂ２は、例えば、比較的柔軟な材料によって構成して、カード類Ｃの下端縁部分を安定的に保持すると共にその損傷を防止できるように配慮されている。
【００２４】
前記連設部２は、例えば、収納ケース（カードケース）の一対の外側板を一体的に連設する底部で構成したり、或いは、収納ケース（カードケース、財布）の一方の外側板と仕切板とを結ぶような底部で構成したりすることができる。
【００２５】
前記差込孔５は、例えば、略細長円孔状に形成したものであっても良いし、或いは、両端の円孔と、この両端の円孔の中心を結ぶようなスリットと、両端の円孔に外接するような一対の平行な折筋とで構成したものであっても良いし、その他適宜構成、形状、寸法に、設定、変更できるものである。
また、スリットと折筋との間の部分を、略Ｖ字状に予め傾斜させておき、カード類Ｃの差込孔５への差込みがより簡単に且つスムーズに行えるように構成しても良い。
【００２６】
尚、一方の基板部１と他方の基板部２の左右側部に左右側片を設け、一対の基板部１の揺動動作に連繋して左右側片が折畳み展開自在となるよう形成しても良い。すなわち、収納構造（収納ケース）の外観上の体裁を良くすると共に、差込孔５に差込まれたカード類Ｃの下部が、収納基部Ａの左右方向（一対の基板部１の対向方向に対して直交する方向）に大きく移動するのを確実に防止できるようにしても良い。
【００２７】
ところで、一対の基板部１の上部には、上部開口部分を自在に開閉できるようにした適宜口止め金具や、或いは、適宜ファスナー等を設けても良い。
【００２８】
ところで、収納構造の具体的構成、収納基部Ａの具体的構成、形状、寸法、材質、基板部１の具体的構成、形状、寸法、材質、配設位置、連設部２の具体的構成、形状、寸法、材質、上保持部Ｂ１の具体的構成、形状、寸法、材質、配設位置、差込孔５の具体的構成、形状、寸法、数、配設位置、下保持部Ｂ２の具体的構成、形状、寸法、材質、配設位置等は、図示例のもの等に限定されることなく適宜自由に設定、変更できるものである。
【００２９】
本考案の収納構造は、前述の如く構成されており、次に、その使用例について説明すると、先ず、収納構造内のカード類Ｃを取出す場合は、一対の基板部１を連設部２がわが支点となるように揺動させる（収納基部Ａの上部開放部分を大きく開く）。
すると、上保持部Ｂ１の略中央の折曲部が上方に移動すると共に、二つ折状態だった上保持部Ｂ１が徐々に展開状態となり、更に、差込孔５に差込まれていた複数のカード類Ｃは、上保持部Ｂ１の変形によって、連設部２（下保持部Ｂ２）部分を中心とするような放射方向に夫々沿うよう略均等に配されて、隣設するカード類Ｃ相互の上部の間隔が大きく開くような状態となる。このとき、下保持部Ｂ２は、その両端部分の間隔が広がって、中央部分が連設部２から離れるように若干上方に移動し、複数のカード類Ｃを若干上方に移動させる。
それから、所望のカード類Ｃを手指で摘んで取出す。
【００３０】
また、カード類Ｃを収納する場合は、差込孔５にカード類Ｃを差込み、一対の基板部１相互が接近するように収納基部Ａを揺動させる（収納基部Ａの上部開放部分を閉じるようにする）。すると、上保持部Ｂ１の略中央の折曲部が下方に移動すると共に、展開状態だった上保持部Ｂ１が二つ折状態となり、更に、差込孔５に差込まれていた複数のカード類Ｃは、相互に接近した状態となって保持される。このとき、下保持部Ｂ２は、その両端部分の間隔が狭くなり、中央部分が連設部２に接近すると共に、複数のカード類Ｃの支持位置を若干下方に移動させる。
【図面の簡単な説明】
【００３１】
【図１】本考案の収納構造の概略を例示する縦断側面図である。
【図２】本考案の収納構造の概略を例示する縦断側面図である。
【図３】本考案の収納構造の概略を例示する分解斜視図である。
【符号の説明】
【００３２】
Ａ      収納基部
１      基板部
２      連設部
Ｂ１    上保持部
Ｂ２    下保持部
５      差込孔
Ｃ      カード類
【図１】
0003123215.tif 000003
【図２】
0003123215.tif 000004
【図３】
0003123215.tif 000005